(57)【要約】【課題】背景の映り込みにより表示映像の視認性が悪化するのを防止でき、ユーザが良質な表示映像を視聴できる映像表示装置を提供する。【解決手段】表示画面に所定の映像を表示する映像表示装置において、第１の撮像手段により撮像された第１撮像画像に基づいてユーザの位置を検出し、検出されたユーザの位置に基づいて表示画面に反射してユーザに認識される背景領域を特定する。そして、特定された背景領域を第２の撮像手段により撮像し、この撮像された第２撮像画像に基づいて表示映像の画質を調整する。【選択図】図１
2009031337.tif 000002
【特許請求の範囲】
【請求項１】
表示画面に所定の映像を表示する映像表示装置において、
前記表示画面に対向する被写体を撮像する第１の撮像手段と、
前記第１の撮像手段により撮像された第１撮像画像に基づいてユーザの位置を検出するユーザ位置検出手段と、
前記ユーザ位置検出手段により検出されたユーザの位置に基づいて、前記表示画面に反射して前記ユーザに認識される背景領域を特定する背景領域特定手段と、
前記背景領域特定手段により特定された背景領域を撮像する第２の撮像手段と、
前記第２の撮像手段により撮像された第２撮像画像に基づいて、前記表示画面に表示する映像の画質を調整する画質調整手段と、
を備えることを特徴とする映像表示装置。
【請求項２】
前記画質調整手段は、前記第２撮像画像において所定値以上の輝度を有する高輝度領域を特定し、特定された高輝度領域に対応する前記表示画面中の領域の画質を調整することを特徴とする請求項１に記載の映像表示装置。
【請求項３】
前記第１の撮像手段は、前記表示画面の近傍に設けられ、前記表示画面に対して垂直な方向を撮像する複数の撮像カメラを有し、
前記ユーザ位置検出手段は、前記複数の撮像カメラによって撮像された複数の第１撮像画像中のユーザの位置と、前記表示画面からユーザまでの距離に基づいて、前記表示画面に対するユーザの方向を検出することを特徴とする請求項１又は２に記載の映像表示装置。
【請求項４】
前記複数の撮像カメラは、矩形状の表示画面の４隅近傍に設けられることを特徴とする請求項３に記載の映像表示装置。
【請求項５】
前記背景領域特定手段は、前記表示画面４隅からのユーザの方向に基づいて、前記表示画面の４隅で反射してユーザに到達するそれぞれの光線の入射方向を算出し、算出された入射方向に基づいて背景領域の画角を特定し、
前記第２の撮像手段は、前記特定された背景領域の画角に基づいて、この背景領域を撮像するように撮像方向及び撮像領域の画角を調整することを特徴とする請求項４に記載の映像表示装置。
【請求項６】
矩形状の表示画面に所定の映像を表示する映像表示装置において、
前記表示画面の４隅近傍に設けられ、前記表示画面に対して垂直な方向を撮像する複数の撮像カメラを有する第１の撮像手段と、
前記複数の撮像カメラによって撮像された複数の第１撮像画像中のユーザの位置と、前記表示画面からユーザまでの距離に基づいて、前記表示画面に対するユーザの方向を検出するユーザ位置検出手段と、
前記表示画面に対するユーザの方向に基づいて、前記表示画面の４隅で反射してユーザに到達するそれぞれの光線の入射方向を算出し、算出された入射方向に基づいて背景領域の画角を決定することにより、前記表示画面に反射して前記ユーザに認識される背景領域を特定する背景領域特定手段と、
前記特定された背景領域の画角に基づいて、この背景領域を撮像するように撮像方向及び撮像領域の画角を調整することにより、前記背景領域特定手段により特定された背景領域を撮像する第２の撮像手段と、
前記第２の撮像手段により撮像された第２撮像画像において所定値以上の輝度を有する高輝度領域を特定し、特定された高輝度領域に対応する前記表示画面中の領域の画質を調整する画質調整手段と、
を備えることを特徴とする映像表示装置。
【発明の詳細な説明】
【技術分野】
【０００１】
本発明は、映像表示装置に関し、特に、プラズマディスプレイパネル等の映り込みが生じ易い表示画面を有する映像表示装置に関する。
【背景技術】
【０００２】
従来、テレビジョン受像機等の映像表示装置においては、部屋の照明や太陽光などの光源により、ユーザの背景が表示画面に反射して映像が見えにくくなる、いわゆる映り込みの問題がある。この映り込みの問題は、表面にガラスを使用しているプラズマディスプレイパネルやブラウン管において特に顕著である。
【０００３】
ところで、テレビジョン受像機の表示画面における背景の映り込みを解消する対策としては、例えば、照明を消したり、カーテンを閉めて窓からの光を遮断したりして部屋を暗くするのが簡単で有効である。しかしながら、表示される映像を暗い空間で長時間視聴するのは視力の低下につながる等、映り込みとは別の問題が生じる。
【０００４】
そこで、特許文献１では、表示画面に反射する反射画像に基づいて表示画像を補正して表示する表示装置に関する技術が提案されている。
具体的には、表示画面の近傍に設けられた撮像部により表示画面に対向する被写体を撮像し、この撮像画像に基づいてユーザの位置を検出する。そして、撮像部によりユーザの目の被写界深度と略同一の被写界深度で撮像した撮像画像から、表示画面に反射してユーザに認識されうる反射画像を生成し、この反射画像をユーザに認識させないように、原画像を補正するものである。
【０００５】
また、特許文献１には、撮像部を異なる方向をそれぞれ撮像する複数の撮像デバイスで構成し、この複数の撮像デバイスによって広範囲を撮像してもよいこと、さらには、撮像部は駆動機構により撮像方向を変更できることが記載されている。また、検出されたユーザの位置に基づいて、表示画面に反射してユーザに認識される被写体の方向を特定し、特定した被写体の方向に撮像方向を変えて背景画像を撮像してもよいことが記載されている。
【特許文献１】特開２００５−３４６０１２号公報
【発明の開示】
【発明が解決しようとする課題】
【０００６】
しかしながら、特許文献１に記載の技術において、撮像部により撮像される背景画像の領域は、表示画面に映り込む反射画像の領域よりも広く（特許文献１の段落００３２，図４参照）、この撮像画像全体が表示画面に反射してユーザに認識されるわけではない。そのため、撮像した背景画像から反射画像を生成（切り出し）するという複雑な処理が必要となる。
【０００７】
本発明は、背景の映り込みにより表示映像の視認性が悪化するのを防止でき、ユーザが良質な表示映像を視聴できる映像表示装置を提供することを目的とする。
【課題を解決するための手段】
【０００８】
上記目的を達成するため、請求項１に記載の発明は、表示画面に所定の映像（元映像：テレビジョン放送、ＤＶＤ）を表示する映像表示装置において、前記表示画面に対向する被写体を撮像する第１の撮像手段と、前記第１の撮像手段により撮像された第１撮像画像に基づいてユーザの位置を検出するユーザ位置検出手段と、前記ユーザ位置検出手段により検出されたユーザの位置に基づいて、前記表示画面に反射して前記ユーザに認識される背景領域（方向、画角）を特定する背景領域特定手段と、前記背景領域特定手段により特定された背景領域を撮像する第２の撮像手段と、前記第２の撮像手段により撮像された第２撮像画像に基づいて、前記表示画面に表示する映像の画質を調整する画質調整手段と、を備えることを特徴とする。
【０００９】
請求項２に記載の発明は、請求項１に記載の映像表示装置において、前記画質調整手段は、前記第２撮像画像において所定値以上の輝度を有する高輝度領域を特定し、特定された高輝度領域に対応する前記表示画面中の領域の画質を調整することを特徴とする。
【００１０】
請求項３に記載の発明は、請求項１又は２に記載の映像表示装置において、前記第１の撮像手段は、前記表示画面の近傍に設けられ、前記表示画面に対して垂直な方向を撮像する複数の撮像カメラを有し、前記ユーザ位置検出手段は、前記複数の撮像カメラによって撮像された複数の第１撮像画像中のユーザの位置と、前記表示画面からユーザまでの距離に基づいて、前記表示画面に対するユーザの方向を検出することを特徴とする。
【００１１】
請求項４に記載の発明は、請求項３に記載の映像表示装置において、前記複数の撮像カメラは、矩形状の表示画面の４隅近傍に設けられることを特徴とする。
【００１２】
請求項５に記載の発明は、請求項４に記載の映像表示装置において、前記背景領域特定手段は、前記表示画面の４隅からのユーザの方向（例えば、表示画面の４隅における垂線に対する角度）に基づいて、前記表示画面の４隅で反射してユーザに到達するそれぞれの光線の入射方向を算出し、算出された入射方向に基づいて背景領域の画角を特定し（すなわち、算出された入射方向を、背景領域の画角を規定するための線とする）、前記第２の撮像手段は、前記特定された背景領域の画角に基づいて、この背景領域を撮像するように撮像方向及び撮像領域の画角を調整することを特徴とする。
【００１３】
請求項６に記載の発明は、矩形状の表示画面に所定の映像を表示する映像表示装置において、前記表示画面の４隅近傍に設けられ、前記表示画面に対して垂直な方向を撮像する複数の撮像カメラを有する第１の撮像手段と、前記複数の撮像カメラによって撮像された複数の第１撮像画像中のユーザの位置と、前記表示画面からユーザまでの距離に基づいて、前記表示画面に対するユーザの方向を検出するユーザ位置検出手段と、前記表示画面に対するユーザの方向に基づいて、前記表示画面の４隅で反射してユーザに到達するそれぞれの光線の入射方向を算出し、算出された入射方向に基づいて背景領域の画角を決定することにより、前記表示画面に反射して前記ユーザに認識される背景領域を特定する背景領域特定手段と、前記特定された背景領域の画角に基づいて、この背景領域を撮像するように撮像方向及び撮像領域の画角を調整することにより、前記背景領域特定手段により特定された背景領域を撮像する第２の撮像手段と、前記第２の撮像手段により撮像された第２撮像画像において所定値以上の輝度を有する高輝度領域を特定し、特定された高輝度領域に対応する前記表示画面中の領域の画質を調整する画質調整手段と、を備えることを特徴とする。
【発明の効果】
【００１４】
本発明によれば、テレビジョン受像機等の映像表示装置において、表示画面上で反射してユーザに認識される映り込み画像（背景画像、第２撮像画像）を正確に撮像し、この映り込み画像に基づいて表示映像の画質を調整するので、背景が映り込むことにより表示映像の視認性が悪化するのを効果的に防止できる。
また、本発明に係る映像表示装置を利用することにより、ユーザは、映り込みを気にすることなく良質な表示映像を堪能することができる。
【発明を実施するための最良の形態】
【００１５】
以下、本発明の実施の形態を図面に基づいて説明する。
【００１６】
図１は、本発明の映像表示装置の一実施形態に係るテレビジョン受像機の使用形態を示す説明図である。
図１に示すように、テレビジョン受像機１０は、例えば、屋内のリビング等に設置される大画面テレビジョンであり、ユーザＵはテレビジョン受像機１０の表示画面１１２に対向する位置（視聴位置）から、表示映像を視聴する。このとき、部屋の照明や、近くに窓がある場合には窓からの太陽光により、ユーザの背景が表示画面１１２に映り込むことがある。
すなわち、表示画面１１２で反射してユーザＵの目に入射する光線が表示画面１１２における映り込みとしてユーザに認識される。例えば、視聴位置が図１に示すような場合には、背景領域Ｂが表示画面１１２に映り込むこととなり、この背景領域Ｂはユーザと表示画面１１２の位置関係により異なるものとなる。特に、表示画面１１２が大きい場合には、ユーザＵの位置（例えば、左右方向の位置）によって表示画面１１２に映り込む背景領域は大きく変化する。
【００１７】
本実施形態のテレビジョン受像機１０では、ユーザＵに認識されうる映り込み画像（背景領域Ｂ）を容易かつ正確に取得（撮像）し、これに基づいて元映像を補正することにより、映り込みを軽減するようにしている。
【００１８】
図２は、本実施形態に係るテレビジョン受像機１０の概略構成を示すブロック図である。
本実施形態のテレビジョン受像機１０は、制御部１０１、アンテナ１０２、受信部（チューナ）１０３、信号処理部１０４、デコーダ１０５、操作部１０６、第１駆動部１０７，ユーザ検出用カメラ１０８，背景撮影用カメラ１０９，第２駆動部１１０、表示映像生成部１１１、表示部１１２、音声出力部１１３、を備えて構成される。図２では省略しているが、ＤＶＤプレイヤー等の外部ＡＶ機器からの映像信号を入力可能な構成としてもよい。
【００１９】
具体的には、受信部１０３は、アンテナ１０２を介してテレビジョン放送信号（例えば、地上ディジタル放送、ＢＳディジタル放送、ＣＳディジタル放送）を選択的に受信する。
信号処理部１０４は、受信部１０３で受信した放送信号を復調するとともに、復調された放送信号を、コンテンツ情報（具体的には、映像データと音声データ）と番組情報に分離する。分離されたコンテンツ情報はデコーダ１０５に供給される。一方、分離された番組情報は、例えば、ＥＰＧ生成部（図示略）に供給され、電子番組ガイドを生成するのに利用される。
【００２０】
デコーダ１０５は、信号処理部１０４から供給されたコンテンツ情報を復号化して映像信号および音声信号を生成する。復号化された映像信号は元映像データとして表示映像生成部１１１に出力され、復号化された音声信号は音声出力部１１３に出力される。
【００２１】
操作部１０６は、例えば、複数の操作ボタンを備えたリモコン装置や本体に設けられた操作パネルであり、この操作部１０６からの入力信号に基づいて、チャンネル変更や音量調整が実行される。
【００２２】
ユーザ検出用カメラ１０８は、図１に示すように、表示画面１１２の４隅近傍に設けられており、表示画面１１２に対向する被写体（ユーザ）を撮像する。このユーザ検出用カメラ１０８は、例えば、ピント制御可能な複数のレンズで構成されるレンズ群と、ＣＣＤ等の撮像素子を備える。そして、レンズ群によって撮像素子の撮像面の全領域に集光された光を光電変換により画素ごとの映像信号として出力し、撮像画像（第１撮像画像）を生成する。
【００２３】
第１駆動部１０７は、ユーザ検出用カメラ１０８の撮像方向や撮像画角、及びピント等を調整するためのものであり、駆動モータ及び動力伝達機構を備える。また、４つのユーザ検出用カメラ１０８ａ〜１０８ｄのそれぞれ対して設けられており、４つのユーザ検出用カメラ１０８ａ〜１０８ｄの撮像方向等を独立して調整できるようになっている。後述する制御部１０１により第１駆動部を駆動制御することにより、ユーザ検出用カメラ１０８の撮像方向や撮像画角、及びピントが調整される。
【００２４】
すなわち、ユーザ検出用カメラ１０８、第１駆動部１０７，及び制御部１０１により、本発明における第１の撮像手段が構成される。
なお、上述した構成によれば、ユーザ検出用カメラ１０８は、撮像方向を変更することも可能であるが、ユーザ位置を検出するための処理を簡単にするためには、表示画面１１２に対して垂直な軸を撮像方向とするのが望ましい。
【００２５】
また、それぞれのユーザ検出用カメラ１０８ａ〜１０８ｄによる撮像領域はそれぞれ隣接、又は一部が重複するように、さらに、表示画面１１２に対向する領域を広範囲にわたって撮像できるように画角を設定する。特に、テレビジョン受像機１０の視聴形態として、ユーザＵの視聴位置が上下に変動することは少ないと想定できるので、左右方向に広範囲で撮像できるように設定するのが望ましい。これにより、ユーザの視聴位置が表示画面１１２の正面に対して左右方向に大きくずれている場合でもユーザの位置を検出できる。
【００２６】
背景撮影用カメラ１０９は、図１に示すように、表示画面１１２の上部中央に設けられており、表示画面１１２に反射してユーザＵに認識される背景領域Ｂを撮像する。背景撮影用カメラ１０９は、ユーザ検出用カメラ１０８と同様に、例えば、ピント制御可能な複数のレンズで構成されるレンズ群と、ＣＣＤ等の撮像素子を備える。そして、レンズ群によって撮像素子の撮像面の全領域に集光された光を光電変換により画素ごとの映像信号として出力し、撮像画像（第２撮像画像）を生成する。
【００２７】
第２駆動部１１０は、背景撮影用カメラ１０９の撮像方向や撮像画角、及びピント等を調整するためのものであり、駆動モータ及び動力伝達機構を備える。後述する制御１０１により第２駆動部を駆動制御することにより、背景撮影用カメラ１０９の撮像方向や撮像画角、及びピントが調整される。
すなわち、背景撮影用カメラ１０９，第２駆動部１１０、及び制御部１０１により、本発明における第２の撮像手段が構成される。
【００２８】
表示映像生成部１１１は、デコーダ１０５からの（或いは外部ＡＶ機器からの）元映像データを補正する等して、表示する映像データを生成し、表示部（表示画面）１１２に出力する。例えば、背景撮影用カメラ１０９により撮像された第２撮像画像に基づいて、表示画面１１２における映り込みが相殺されるように、元映像の明るさ・色を補正する。
表示部１１２は、表示映像生成部１１１からの表示映像データに基づく映像を表示する。
音声出力部（スピーカ）１１３は、デコーダ１０５からの音声信号に基づく音声を出力する。
【００２９】
制御部１０１は、例えば、ＣＰＵ（Central Processing Unit）、ＲＡＭ（Random Access Memory）、ＲＯＭ（Read Only Memory）等を備えて構成され、テレビジョン受像機１０の各部を制御する。
具体的には、ＣＰＵは、ＲＯＭに格納された処理プログラム等を読み出して、ＲＡＭに展開して実行することにより、テレビジョン受像機１０全体の制御を行う。
ＲＡＭは、ＣＰＵにより実行された処理プログラム等を、ＲＡＭ内のプログラム格納領域に展開するとともに、入力データや上記処理プログラムが実行される際に生じる処理結果等をデータ格納領域に格納する。
ＲＯＭは、例えば、半導体メモリ等で構成され、処理プログラムやデータ等が予め記憶されている。ＲＯＭには、例えば、映り込みを軽減するための画質調整プログラムや、ユーザ位置検出用カメラ１０８や背景撮影用カメラ１０９の撮像方向やピントを調整して所望の画像を撮像するための撮像プログラム、等が格納されている。
【００３０】
例えば、ＣＰＵは、ＲＯＭに記憶されている画質調整プログラムを読み出してＲＡＭの作業領域に展開し、これを実行することにより画質調整処理を行う。
この画質調整処理では、例えば、ユーザ検出用カメラ１０８により撮像された第１撮像画像に基づいてユーザＵの位置を検出する（ユーザ位置検出手段）。また、検出されたユーザＵの位置に基づいて、表示画面１１２に反射してユーザＵに認識される背景領域を特定する（背景領域特定手段）。また、背景撮影用カメラ１０９により撮像された第２撮像画像において、所定値以上の輝度を有する高輝度領域を特定する。さらに、特定された高輝度領域に対応する表示画面１１２中の領域の画質を調整する（画質調整手段）。
すなわち、制御部１０１により、本発明におけるユーザ位置検出手段、背景領域特定手段、及び画質調整手段が構成される。
【００３１】
また、ＣＰＵは、ＲＯＭに記憶されている撮像プログラムを実行して第１駆動部１０７を制御することにより、ユーザ検出用カメラ１０８の撮像方向、撮像画角、及びピントを調整する。同様に、第２駆動部１１０を制御することにより、背景撮影用カメラ１０９の撮像方向、撮像画角、及びピントを調整する。この撮像プログラムは、ユーザ検出用カメラ１０８用と背景撮影用カメラ１０９用に別々に設けるようにしてもよい。
なお、自動的にピントを合わせる処理には、公知のオートフォーカス技術を利用することができる。
【００３２】
本実施形態のテレビジョン受像機１０は、上述した構成を有しており、ユーザＵの位置を検出し、このユーザＵから認識される表示画面１１２への映り込み画像を撮像する。そして、この映り込み画像に基づいて表示映像の画質を調整するので、ユーザＵに認識される映像は、元映像と同様のものとなる。
【００３３】
次に、表示画面１１２への映り込みを軽減するための画質調整処理について具体的に説明する。
図３は、テレビジョン受像機１０において実行される画質調整処理の一例について示したフローチャートである。この画質調整処理は、ＣＰＵがＲＯＭ内の画質調整プログラムを実行することにより実現される。例えば、テレビジョン受像機１０の電源が投入され、表示画面１１２に何らかの映像が表示されているときに実行される処理である。
【００３４】
ステップＳ１０１では、ユーザ検出用カメラ１０８により、表示画面１１２に対向する被写体を撮像する。このとき、ユーザ検出用カメラ１０８は、表示画面１１２に対して垂直な軸を撮像軸として撮像する。
【００３５】
ステップＳ１０２では、画像認識技術を利用して、ユーザ検出用カメラ１０８ａ〜１０８ｄにより撮像された画像内にユーザＵを検出できるか判定する。そして、ユーザＵを検出できた場合はステップＳ１０３に移行し、ユーザＵを検出できない場合はステップＳ１０１に移行する。
【００３６】
ステップＳ１０３では、検出されたユーザＵの位置を算出する（ユーザ位置検出手段）。このとき、例えば、顔認識技術を利用してユーザの顔にピントを合わせて撮像した画像を第１撮像画像とし、この第１撮像画像に基づいてユーザの位置を算出することで、ユーザＵの位置を正確に算出することができる。
具体的には、第１撮像画像においてユーザＵが写っている箇所と、ユーザＵまでの距離（ピント合わせにも利用される）に基づいて、それぞれのユーザ検出用カメラ１０８ａ〜１０８ｄの撮像軸に対するユーザＵの方向（厳密にはユーザＵの顔の方向）を算出する。
【００３７】
図４は、それぞれのユーザ検出用カメラ１０８ａ〜１０８ｄにより撮像された第１撮像画像Ｐ１の一例を示した説明図である。図４には、表示画面１１２の左下（ユーザＵから見て）に配設されたユーザ検出用カメラ１０８ｂの真正面にユーザＵが位置する場合を示している。
【００３８】
すなわち、ユーザＵの撮像が、左上に配設されたユーザ検出用カメラ１０８ａによる第１撮像画像（図４（ａ））では中央下部に位置し、ユーザ検出用カメラ１０８ｂによる第１撮像画像（図４（ｂ））では中央部に位置し、また、右上に配設されたユーザ検出用カメラ１０８ｃによる第１撮像画像（図４（ｃ））では右下部に位置し、右下に配設されたユーザ検出用カメラ１０８ｄによる第１撮像画像（図４（ｄ））では中央右部に位置する場合には、ユーザＵはユーザ検出用カメラ１０８ｂの真正面にいることとなる。
また、そのときの表示画面１１２からユーザＵまでの距離に基づいて、各ユーザ検出用カメラ１０８ａ〜１０８ｄの撮像軸に対するユーザの方向（角度）が算出される。
【００３９】
なお、図４に示すように、４つのユーザ検出用カメラ１０８ａ〜１０８ｄで撮像されたすべての第１撮像画像においてユーザが撮像されている場合もあれば、そうでない場合もある。ユーザ検出用カメラ１０８ａ〜１０８ｄで撮像された第１撮像画像のうち、少なくとも一つの第１撮像画像においてユーザが撮像されていれば、この第１撮像画像に基づいてユーザの方向を特定することができる。
【００４０】
図３のステップＳ１０４では、算出されたユーザＵの位置に基づいて、表示画面１１２に反射してユーザＵに認識されうる背景領域を決定する（背景領域決定手段）。具体的には、表示画面１１２の４隅に対応して配設されたユーザ検出用カメラ１０８ａ〜１０８ｄのそれぞれの撮像軸（表示画面１１２に対して垂直）に関して、各ユーザ検出用カメラ１０８ａ〜１０８ｄからのユーザＵの方向と対称な方向を、表示画面１１２に映り込む背景領域の画角を規定する線とみなして背景領域を決定する（図１参照）。
例えば、図１のユーザ検出用カメラ１０８ｂについて説明すると、ユーザ検出用カメラ１０８ｂからユーザＵの方向は撮像軸に対して角度θとなっている。この場合、撮像軸に対して角度（−θ）の方向が背景領域の画角を規定するための線となる。
【００４１】
ステップＳ１０５では、決定された背景領域を背景撮影用カメラで撮像する。具体的には、決定された背景領域が撮影されるように第２駆動部１１０を制御し、背景撮影用カメラ１０９の撮像方向、画角、及びピントを調整した上で撮像し、第２撮像画像を生成する。
このように、本実施形態のテレビジョン受像機１０では、実際にユーザＵの位置から認識されるはずの表示画面１１２への映り込み画像を第２撮像画像として取得するようにしている。これにより、第２撮像画像をそのまま表示画面１１２に映り込む画像として扱うことができるので、ステップＳ１０６以降の画像調整に係る処理が容易になる。
【００４２】
ステップＳ１０６では、第２撮像画像において、輝度が所定値以上の高輝度領域を検出する。具体的には、第２撮像画像の画素ごとの輝度を検出し、周囲の輝度と著しくかけ離れている領域を高輝度領域として特定する。
【００４３】
図５は、背景撮影用カメラ１０９により撮像された第２撮像画像Ｐ２の一例を示す説明図である。
図１において、例えば、表示画面１１２に向かってユーザＵの右側に窓があった場合には、図５に示すように背景領域の左側に窓Ｗのある画像が第２撮像画像Ｐ２として得られることとなる。そして、この窓Ｗに対応する領域が高輝度領域として特定されることとなる。
【００４４】
ステップＳ１０７では、検出された高輝度領域に基づいて、表示画面１１２における映り込み領域を特定する。
図６は、表示画面１１２への映り込み画像の一例を示す説明図であり、図５に示す背景画像が得られたときに表示画面１１２に映り込む画像を示している。つまり、図１に示す視聴位置からユーザＵが表示画面１１２を見たときには、表示画面１１２の右側に窓Ｗが映り込むこととなる。
図６に示すように、第２撮像画像（図５参照）を左右反転させたものが表示画面１１２への映り込み画像となる。そして、第２撮像画像における高輝度領域に対応する領域が光源の映り込み領域となる。このように、第２撮像画像に基づいて実際に表示画面１１２に映り込む画像を簡単に生成できるので、容易に画質を調整すべき領域を特定できる。
【００４５】
ステップＳ１０８では、ステップＳ１０７で特定された光源の映り込み領域の画質を調整する（画質調整手段）。具体的には、元映像データに基づく画像の明るさ及び色を調整することにより、映り込みが軽減される、言い換えると映り込みがぼかされるような表示画像を生成して、出力する。
【００４６】
本実施形態のテレビジョン受像機１０によれば、表示画面上で反射してユーザに認識される映り込み画像（背景画像、第２撮像画像）を正確に撮像し、この映り込み画像に基づいて表示映像の画質を調整するので、背景が映り込むことにより表示映像の視認性が悪化するのを効果的に防止できる。
また、本発明に係る映像表示装置を利用することにより、ユーザは、映り込みを気にすることなく良質な表示映像を堪能することができる。
【００４７】
今回開示された実施の形態はすべての点で例示であって制限的なものではないと考えられるべきである。また、本発明の範囲は上記した説明ではなくて特許請求の範囲によって示され、特許請求の範囲と均等の意味および範囲内でのすべての変更が含まれることが意図される。
【００４８】
例えば、上記実施形態では、表示画面１１２の４隅近傍にユーザ検出用カメラ１０８を設ける構成としたが、ユーザ検出用カメラ１０８の配設形態はこれに制限されない。例えば、表示画面１１２の対向する短辺の中央近傍に２つ配設したり、対角位置に２つ配設したりすることが考えられる。
【００４９】
本発明は、上記実施の形態で示したテレビジョン受像機に限らず、例えば、外部ＡＶ機器から出力された映像データに基づく映像を表示させるための表示装置や、パーソナルコンピュータに接続されたモニタに適用することができる。
【図面の簡単な説明】
【００５０】
【図１】本発明の映像表示装置の一実施形態に係るテレビジョン受像機の使用形態を示す説明図である。
【図２】本実施形態に係るテレビジョン受像機１０の概略構成を示すブロック図である。
【図３】テレビジョン受像機１０において実行される画質調整処理の一例について示したフローチャートである。
【図４】それぞれのユーザ検出用カメラ１０８ａ〜１０８ｄにより撮像された第１撮像画像の一例を示す説明図である。
【図５】背景撮影用カメラ１０９により撮像された第２撮像画像の一例を示す説明図である。
【図６】表示画面１１２への映り込み画像の一例を示す説明図である。
【符号の説明】
【００５１】
１０  テレビジョン受像機
１０１  制御部（ユーザ位置検出手段、背景領域特定手段、画質調整手段）
１０２  アンテナ
１０３  受信部
１０４  信号処理部
１０５  デコーダ
１０６  操作部
１０７  第１駆動部
１０８ａ〜１０８ｂ  ユーザ検出用カメラ（第１の撮像手段）
１０９  背景撮影用カメラ（第２の撮像手段）
１１０  第２駆動部
１１１  表示映像生成部
１１２  表示部（表示画面）
１１３  音声出力部
【図１】
2009031337.tif 000003
【図２】
2009031337.tif 000004
【図３】
2009031337.tif 000005
【図４】
2009031337.tif 000006
【図５】
2009031337.tif 000007
【図６】
2009031337.tif 000008